Podtech/llm-jp-corpus-v4-ja_patent huggingface dataset:
(57)【要約】      （修正有）【課題】カットされ落ちる髪の毛による不快感を失くし、散髪を楽しく手早く行える、便利でコンパクトな、散髪用ケープを提供する。【解決手段】ケープ部固定を、カチューシャ様にすることで、着脱をスムーズなものとした。カチューシャ様固定部１は、頭部に装着するため、それより下に広がるケープ部３によって、後頭部使用の場合、首周囲がガードされることになり、カットされ落ちる髪の毛が襟元から進入することはない。又、前頭部使用の場合、顔をケープ部でガードすることで、カットされ落ちる髪の毛が顔にかかることがなくなる。深型の大きなポケット部４をケープ部中央より設けることで、カットされ落ちる髪の毛を真下でその都度瞬間に、受け取り回収することが可能となり散らかりを防止する。【選択図】図１
2004243060.tif 000002
【特許請求の範囲】
【請求項１】
カチューシャ様固定部を設け、部分カット時の位置決め及び、ケープの固定部として使用し、全体カット時には、首に掛け、ケープ部の安定を保つ器具としての、役割を果たす。
【請求項２】
カチューシャ様固定部は、ケープ部より取り外ことができ、幅の合う同タイプのものとのサイズ交換を可能にした。好みのカチューシャを取り付けることで、装着間を良好にし、固定部の安定を目的とする。又、必要に応じては、ケープ部の交換及び、洗濯に対応する。
【請求項３】
ポケット部は、ケープ部中央より大きく設けることで、カットされ落ちる髪の毛を受け、回収に対応する。又、ケープのコンパクト化を図る。
【請求項４】
全体カット時及び、仕上げ時に使用するためのネック固定部を、カチューシャ様固定部の裏側に取り付けてあり、部分カット時は、作業の妨げにならないよう、裏側に折り込んだまま使用する。ポケットケープを、充実して活用できるように、又、いろんな髪型にも対応できるようにと、設けた。２つ目の、ケープの固定部である。
【発明の詳細な説明】
【０００１】
【発明の属する技術分野】本発明は、散髪において問題となる、カットされ落ちる髪の毛による、床などへの散らかり、衣類などへの付着及び、進入を防ぐためのポケット付き理容ケープに関する。
【０００２】
【従来の技術】一般的には、カットされ落ちる髪の毛の、衣類などへの付着及び、進入を防ぐために、首にタオルなどを巻き、襟部を保護した後、全身を覆い隠すマントの様なケープを着用する。
【０００３】
【発明が解決しようとする課題】しかし、首の部分をケープの固定部とした身体を覆い隠すスタイルの場合、隙間や、襟足部分にかかるカットされ落ちた細かい髪の毛に対しての、衣類などへの付着及び、進入を防ぐことが十分でなく、又、顔を保護することはできない。そのため、散髪に対する不快感が生じると伴に、動きが制限される。又、そのことが、子供の散髪嫌いの原因にもつながるものと、思われる。
【０００４】又、カットされ落ちる髪の毛は、よく跳ね飛び散るため、以外にも、広範囲に床などへの散らかりが見られ、そのため散髪は、準備や後片付けを考慮し、場所やスペースを選び行わなければならない、面倒なものとなる。以上のような、問題点を解決し、楽しく散髪が行えるよう考案した。
【０００５】
【課題を解決するための手段】本発明は、ァ，請求項１・２に示すところの、ケープ部固定を、カチューシャ様にすることで、着脱を単純作業で行えるスムーズなものにした。散髪中の如何なるトラブルに対して、瞬時に対応でき、中止及び、再開が無理なくできるものとし、固定部を移動することで、部分カットを繰り返し行い、散髪を進めていく。カチューシャ様固定部は、頭部に装着するため、ィ，請求項３に示すところの、それより下に広がるケープ部によって、後頭部使用の場合、首周囲がガードされることになり、カットされ落ちる髪の毛が襟元から進入することはない。又、前頭部使用の場合、顔を、ケープ部でガードすることで、カットされ落ちる髪の毛が、顔にかかることがなくなり、不快感を解消することとなる。又、深型の大きなポケット部をケープ部中央より設けることで、カットされ落ちる髪の毛を真下で、その都度瞬時に、受け取り回収することが可能となり、散らかりを防止する。さらに、ケープ部本体をコンパクトなものにすることで、場所を選ばず使用でき、又、動きが制限されることなく使用できる、収納便利なポケットケープを提案する。
【０００６】
【発明の実施の形態】以下、本発明を、図面に沿って説明する。図１は、ポケットケープの表面図を示し、１は、カチューシャ様固定部と呼び付属品がまったく着かないカチューシャ又は、それに類似した形状のものを用い、２の、通し口を使い、取り付け、取り外しを行う。３は、ケープ部で、防水性のある布または、髪の毛が付着しにくい布を使用した、１枚形成で、ケープ部下側に、４の、ポケット部を、設ける。図２は、ポケットケープの裏側図を示し、５は、ネック部を、左右に付属収納した形状からなる。
【０００７】
【実施例】図１の１が示す、カチューシャ様固定部を、使用例図３及び、図４が示すようにメガネのフレームをかける要領で、水平状態に保ちカット部位に装着し使用するものであり、前髪カットの時は、顔のガードに役立つものである。又、図１の４が示す、ポケット部は使用例図３及び、図４が示すように、装着すると、カチューシャ様固定部の真下に、広がるように位置し、カットされ落ちる髪の毛を、集中して回収するようになっている。図１及び、図２の３が示すケープ部は、図３及び図４で示すように、全身を覆い隠すものではなく、ケープ部の上側左右を、それぞれの肩に掛けて使用するもので、丈も短く、今までのケープとは異なり、散髪中に手を自由に動かすことができると伴に移動することも可能である。ゥ，請求項４の示すところの、バリカンなどを使用する時や、ロングヘアの毛先を揃える時、又、仕上げ用などとして、図２の５の示すところの、ネック固定部を首の前でクロスし６のマジックテープで、首周囲のサイズを調節し止める。その時予め、タオルなどを用い襟元を保護しておく、図５参照。また、もう一つの特徴として、ケープ部の形状が平面であるため図６のように寝転んだ状態にも対応でき、床上やベット上での使用を可能にした。カチューシャ様固定部を頭の下より差し入れ下から首に掛け、ケープ部を、頭の下に広げるように敷く。この時、ポケット部の両端を洗濯ばさみなどで、ベットサイドに固定すると便利である。
【０００８】
【発明の効果】この事により、子供用としてはもちろんのこと、介護用としても十分対応できるものと、本発明を提供するものである。
【０００９】
【図面の簡単な説明】
【図１】ポケットケープの表面図である。
【図２】ポケットケープの裏側図である。
【図３】前頭部使用例を示した、ポケットケープの側面図である。
【図４】後頭部使用例を示した、ポケットケープの側面図である。
【図５】ネック部使用例を示した、正面図である。
【図６】床上やベット上での使用例である。
【００１０】
【符号の説明】
１カチューシャ様固定部。
２通し口。
３ケープ部、本体。
４ポケット部。
５ネック部。
６マジックテープ。
【図１】
2004243060.tif 000003
【図２】
2004243060.tif 000004
【図３】
2004243060.tif 000005
【図４】
2004243060.tif 000006
【図５】
2004243060.tif 000007
【図６】
2004243060.tif 000008
(57)【要約】【課題】架設した伸縮棒の耐えうる荷重を大きくするため、壁（４）と伸縮棒端（５）との支持力を増す簡便な取付け具を提供する。【解決手段】吸盤部（１）の背面に軸を支える構造を備えた軸受け部（３）を備えた吸盤を発明した。これを伸縮棒と壁部との間に設置する。【選択図】図３
2004243059.tif 000002
【特許請求の範囲】
【請求項１】
吸盤部背面に軸との摩擦力の大きい材質で作られた軸受け部を備えた事を特徴とする吸盤
【請求項２】
吸盤部背面に軸を支持する構造を備えた軸受け部をもつ事を特徴とする吸盤
【発明の詳細な説明】
【０００１】
【発明の属する技術分野】
この発明は伸縮棒・テンションポール・突っ張りポール（以下伸縮棒で代表する）を架設する場合その棒端と壁部との間に設置する吸盤に関するものである。
【０００２】
【従来の技術】
伸縮棒は両端部を互いに対向する壁部に圧接させ、端部と壁部との間に大きい摩擦力を発生させることで架設して、たとえば衣類などの懸垂に使用される。従来は伸縮棒の先端は樹脂製のカバーが付いているのみでこれをそのまま壁に接触させていた。
【０００３】
【発明が解決しようとする課題】
伸縮棒を使用する際、棒自体の耐久力と比べて棒端と壁部との摩擦による支持力が小さいため、ある程度の荷重を掛けると棒自体の強度は問題なくても壁との支持部がずり落ちて傾き、最終的には落下してしまう。このため架設された伸縮棒は耐えうる荷重が小さく使用方法に制限が多かった。本発明は伸縮棒の耐えうる荷重を大幅に改善することを目的とする。
【０００４】
【課題を解決するための手段】
伸縮棒の耐えうる荷重を増すためには壁と棒とがずれないようにすればよい。そこで吸盤部（１）背面に軸との摩擦力の大きな材質で作られた軸受け部（２）もしくは軸を支持する構造を備えた軸受け部（３）もしくはその両方を備えた吸盤を発明した。これを伸縮棒と壁との間に設置することにより、吸盤背面の部分と伸縮棒とは圧接力にくわえて材質による大きな摩擦力のためもしくは構造上軸受けに支持される形になるため支持力を増す。また吸盤部（１）は壁との横ずれに対して強いため吸盤部（１）と壁との間も支持力は大きく、加えて吸盤部（１）は伸縮棒の圧接力により壁に押しつけられるためさらに摩擦による支持力を増す。結果的に伸縮棒を直接壁に接触させるよりも大きな支持力が得られ、伸縮棒の耐えうる荷重が大きくなる。
【０００５】
【発明の実施の形態】
以下本発明の実施例について説明する。吸盤部（１）背面に軸を支持する構造を備えた軸受け部（３）を設ける。本発明は以上のような構造である。
伸縮棒を使用する際壁（４）と棒端（５）の間に本発明の吸盤を設置する。吸盤部（１）の効果により壁（４）と吸盤部（１）の支持力は従来の伸縮棒と壁部との場合より大きい。伸縮棒端（５）は軸受け部（３）を圧迫する反発力での摩擦力だけでなく軸受け部（３）によっても支持される。このため軸受け部（３）が伸縮棒端（５）にあたえる支持力も従来の伸縮棒端と壁部との支持力より大きくなる。
また吸盤部（１）に対して角度をつけた軸を支持する構造の受け部（６）を備えた吸盤を使用すれば、従来は支持力が弱くて使用できなかった角状の壁（７）にも伸縮棒を使用することができる。
【０００６】
【発明の効果】
本発明は簡便な方法で伸縮棒の耐荷重力を増強させることができ、従来よりも多くの用途に伸縮棒を用いることを可能にする。しかも取り外したあとは壁に跡を残すこともなく非常に便利である。
【図面の簡単な説明】
【図１】請求項１に相当する本発明の斜視図である。
【図２】請求項２に相当する本発明の斜視図である。
【図３】本発明の実施例を示した平面図である。
【図４】請求項２に相当する本発明の斜視図である。
【図５】本発明の実施例を示した平面図である。
【符号の説明】
１．吸盤部
２．軸受け部
３．軸を支持する構造を備えた軸受け部
４．壁
５．伸縮棒端
６．吸盤部に対して角度をつけた軸を支持する構造の受け部
７．角状の壁
【図１】
2004243059.tif 000003
【図２】
2004243059.tif 000004
【図３】
2004243059.tif 000005
【図４】
2004243059.tif 000006
【図５】
2004243059.tif 000007
(57)【要約】      （修正有）【課題】身体にマツサージを施行する時、マツサージがされる部分へ温熱を与え、マツサージの効果を増大しようとするものである。【解決手段】ビニール等にて作られ、指先を取り除いた左右一対の手袋状用具１、２を作り、それら用具の手のひら側に、カイロ類４を取り付け、発熱させている状態のまま、それらの用具を、マツサージを施行する者はその手に装着して、マツサージを行なう。【選択図】図１
2004243079.tif 000002
【特許請求の範囲】
【請求項１】
薄いビニール等にて作られ、指先を取り除いた手袋状用具・左（２）と手袋状用具・右（１）よりなり、それらの手のひら側にカイロ類（３）をとりつけてなる温熱を発生するマツサージ用具
【発明の詳細な説明】
【０００１】
【発明の属する技術分野】
この発明は人体にマツサージをしようとする時、マツサージをしようとする所へ常に、温熱を与えつつ、マツサージをして、その効果を増大しようとする温熱療法用具に関するものである。
【０００２】
【従来の技術】
マツサージの基本手技は、もむ、たたく、押す、なぜる、つまむ、ふるわす等であり、それらの手技は、術者の手と患者の皮膚が直接触れ、或いは薄布や薄着の上からなされるが、寒い時期や病床の人には、術者の手からの冷たい接触感覚が、マッサージの効果を減少し、又冷たさを嫌うあまり、マツサージから遠のくようになり易いと思われる。
又、従来風呂上がりや温湿布するなどして、温めてからマツサージを行なうとより効果的とされている。
【０００３】
【発明が解決しようとする課題】
この発明は、マツサージがされる時、マツサージがより効果があるように、又寒い時も、或いは病床の人、冷え性の人にも常に、心地よいマッサージが容易に受けられるようにしようとするものである。
【０００４】
【課題を解決するための手段】
マツサージの効果がより大になり、そして、誰でも、心地よいマツサージがうけられるようにするため、患者のマツサージを受ける身体のその部分に、常に温熱を与え、温めながら、マツサージをしようとするものである。
そのため、本発明の用具を装着してマツサージを行なう。
そのマツサージ用具は薄いビニール等にて作られ、指先を取り除いた手袋状用具・左（２）と手袋状用具・右（１）よりなり、それらの手のひら側にカイロ類（３）をとりつけたものである。
カイロ類（３）の形態は薄く、偏平で、大人の手のひら大がよく、熱源は鉄粉等を用いるもの、或いはペンジンによる懐炉等でもよい。
又カイロ類（３）の熱源は、一時間程度で、燃焼完了するように、調整するとよい。
熱源が鉄粉等の場合には空気遮断材（５）等により、鉄粉等は空気より遮断され発熱しない。
【０００５】
【発明の実施の形態】
熱源が鉄粉等の場合には、術者は空気遮断材（５）を取り除き発熱せしめ、カイロ類（３）を発熱している状態にしている本手袋状用具・右（１）、手袋状用具・左（２）を片手、又は両手に装着し、身体の処々にマツサージを行なうが、本手袋状用具・左（２）、手袋状用具・右（１）の指先はないので、手の指先は素手であり、術者には違和感がなく、自由自在に動かすことができ、マツサージの手技が自在にできる。
又術者の指先も温められ、術者の動きも滑らかになり、患者も暖かい術者の手先等で、心地よいマツサージが受けられる。
尚指先が取り除いていない手袋状用具でもよく、略、同じ効果を得ることができる。
尚、カイロ類（３）をとりつけず、手袋状用具・左（２）・手袋状用具・右（１）の手のひら面にカイロ類（３）を入れる袋を設け、その袋にカイロ類（３）の出し入れができるようにしてもよい。
【０００６】
【発明の効果】
身体の一点を熱し、熱により治療しようとする灸に対して、本発明用具はマツサージがされている身体の処々に移動しながら、それらの部分に温熱を与えるのを特徴として、マッサージの効果を上げようとするものである。
寒い時は一般に、又病床の人、冷え性の人、痛みのため筋肉等が硬直している人達は特に、寒さを感じるマツサージを好まず、マツサージが良くても、マツサージをさけるようになると、思われる。
しかし、それらの人達も本発明の用具を使用して、暖かさを感じながら、手の指一本一本つままれ、もまれ、ねじられ、また、手の平も、もまれ、足の指、足の裏、踵がもまれ、次に手、上半身、下半身と、なぜる、さする等丁寧なマツサージを受けることにより、全身に酸素と栄養を送り、体内組織に蓄積された老廃物の排泄を促進する血液の循環が極めて、よくなり、軽い運動をしたように、身体は暖かくなり、痛みは和らぎ、マツサージを楽しむことができるようになると思われる。
又、温熱を与えつつ行なうマツサージの効果は一段と増加するが、首、肩等のこりに対する、マッサージ効果の増大は著しいと思われ、又五十肩には保温と軽い運動が効果的であるが、本マツサージ用具を使用すれば、患者自身で、マツサージもできて極めて有用である。
神経痛やリユマチ等に本マツサージ用具を使用し、マツサージをすれば、温熱効果も加わり、より早く血行もよくなり、痛みも和らぐであらう。
又脳卒中等による後遺症に対する機能回復の運動訓練を床に横たわる患者に行なう時などは患者に極めて、苦痛を与えるものであるが、その際、術者が本マツサージ用具を使用して、マツサージをしながら訓練をすれば、患者の苦痛は著しく緩和され、且つ好結果が得られるものと思われる。
【図面の簡単な説明】
【図  １】本発明の斜視図である。
【符号の説明】１  手袋状用具・右    ２  手袋状用具・左    ３  カイロ類
４  鉄粉・水・等      ５  空気遮断材
【図１】
2004243079.tif 000003
(57)【要約】      （修正有）【課題】魚は嫌いではないが，生臭い匂いが嫌だとか，，，主婦にとってはきわめてわずらわしいものであり料理が面倒だから嫌だ．と言う方のために考案するもので生臭い匂いを極力減らして，料理もすごく簡単で面倒がらなくなり特に鰯や，アジ，鯖といった，青魚，等を骨ごと食べることができてたいへん健康にも良いものある。【解決手段】筒型の本体（１）の内部（空洞）に多量の塩と魚を詰める箱を内臓して密閉して加熱し高圧にしてこの高圧を急激に下げて骨を砕きたべやすくするものである。【選択図】図１
2004243071.tif 000002
【特許請求の範囲】
【請求項１】
筒状本体（１）に厚い広口部（２）と蓋部（３）をけてその（２：３）の接点の内側に半円形の溝（４）を作りその溝（４）に非鉄金属例えば（銅又はアルミの丸棒）のパッキン（５）を装着した  気密漏れ防止部
【請求項２】
塩と魚を充分に詰める箱（６）を装備した砕骨高熱魚焼き器
【発明の詳細な説明】
筒状の本体（１）本体（１）に厚広の口部（２）を適当に厚みと広さ持たせ広くして蓋（３）を設け口部（２）と蓋部（３）の接点の内側に半  円形状の溝（４）を作りその溝（４）に非鉄金属例えば（銅またはアルミの丸棒）のパッキン（５）を装着して，密閉して，本体（１）の空洞内に箱を（６）を入れて箱（６））の中に多量の塩を入れて塩で魚が全く見えなくなるまで充分に詰めて箱（６）を本体（１）の空洞内に入れて固定して蓋（３）を強く閉めて密閉して本体（１）を静かに回しながら，本体（１）の下部より加熱して，ゆくと魚の水分が蒸発し本体（１）の空洞内は次第に加熱と同時に気密も高くなる，適当なころを見計らって気圧を下げると魚の肉質は自然と引きしまってほどよくなり膨張した骨は粗質になり砕けやすくなる
【図面の簡単な説明】
【図１】はこの発明の正面展開図
【図２】は塩と魚を詰める箱（６）である
【図１】
2004243071.tif 000003
【図２】
2004243071.tif 000004
(57)【要約】【課題】歯ブラシと歯間ブラシ、デンタルフロスを使い勝手の良いセットとして提供し効率的な補助的清掃用具の普及を図る。【解決手段】（イ）歯ブラシキャップ（２）に歯間ブラシホルダー（１）を付与することで、キャップを介して歯ブラシと歯間ブラシを一組とする。（ロ）歯ブラシスタンドはデンタルフロス収納部（３）と歯ブラシスタンド部より構成する。（ハ）歯ブラシスタンドを洗面キャビネット鏡面に吸盤で固定する。【選択図】    図２
2004243072.tif 000002
【特許請求の範囲】
【請求項１】
断面が台形のスケルトン型、上面に歯間ブラシホルダーとしてのパイプ（１）を付与した歯ブラシキャップ（２）
【請求項２】
右端をデンタルフロス収納部（３）とした歯ブラシスタンド（４）。
【発明の詳細な説明】
【０００１】
【発明の属する技術分野】
この発明は歯の清掃用具の保管に関するものである。
【０００２】
【従来の技術】
歯間ブラシ、デンタルフロスは補助的清掃用具として扱われ、個別に市販されているため、歯ブラシとセットとしての普及が遅れており、保管方法も確立していない。また歯ブラシのみでは、隣接面の完全な清掃は困難である。
大谷広明；新歯ブラシ事典．学建書院１９９７
【０００３】
【発明が解決しようとする課題】
歯ブラシ、歯間ブラシ、デンタルフロスをセットとした効率的な清掃法の普及と衛生的保管方法。
【０００４】
【課題を解決するための手段】
（イ）歯ブラシキャップに歯間ブラシホルダーを付与したキャップを介して歯ブラシと歯間ブラシを一組とする。
（ロ）歯ブラシスタンドの内部にデンタルフロスを収納する。
（ハ）歯ブラシスタンドを洗面キャビネットの鏡面に吸盤で固定する。
【０００５】
【発明の効果】
（イ）歯ブラシと歯間ブラシを一組とすることで歯間ブラシの保管方法が確立して使用が普及し、衛生的管理ができる。
（ロ）歯ブラシキャップをスケルトン型、歯間ブラシはハンドルのみを保持することで植毛部が乾燥しやすくなる。
（ハ）デンタルフロスをセットに組み込むことによりブラッシングの一環としての、フロッシングの普及が期待できる。
（ニ）本器具を洗面キャビネットの鏡面の下端に固定することでスペースをとらずに衛生的保管ができる。
（ホ）本器具を浴室に設置することで入浴時の歯の清掃も可能となる。
【図面の簡単な説明】
【図１】歯ブラシキャップの斜視図である。
【図２】歯ブラシ、歯間ブラシ、デンタルフロスをセットとした斜視図である。
【符号の説明】
１．歯間ブラシホルダー
２．歯ブラシキャップ
３．デンタルフロス収納部
４．歯ブラシスタンド
【図１】
2004243072.tif 000003
【図２】
2004243072.tif 000004
(57)【要約】【課題】この発明は、多孔質の溶岩石を加工形成してなる石板をガス火や炭火等の直火で加熱して、その石板の上に食品を載置して調理する場合において、肉、魚、野菜等の食品だけでなく、殻付の貝や海老、蟹等の甲殻類も同じ石板の上で調理できる石板に関するものである。【解決手段】多孔質の溶岩石を加工形成してなる石板１に複数の透孔２を穿設する。【選択図】図１
2004243073.tif 000002
【特許請求の範囲】
【請求項１】
多孔質の溶岩石を加工形成してなる石板において、複数の透孔を穿設した溶岩石プレート。
【発明の詳細な説明】
【０００１】
【発明の属する技術分野】
本発明は、多孔質の溶岩石を加工形成してなる石板に複数の透孔を穿設したもので、熱源として、ガス火や炭火等の直火で加熱することにより、その上に載置した肉、魚、野菜等の食品だけでなく、殻付の貝や海老、蟹等の甲殻類も調理できるようにした溶岩石プレートに関する。
【０００２】
【従来の技術】
従来、石板をガス火や炭火等の直火で加熱して、その石板の上で食品を調理する場合において、肉、魚、野菜等は内部まで火が通り調理することができたが、殻付の貝や海老、蟹等の甲殻類は内部まで火が通らず調理することができなかった。この為、殻付の貝や、海老、蟹等の甲殻類は同じ石板の上で調理することができず、殻付の貝や海老、蟹等の甲殻類を調理するときは、新たに鉄板、金網等をガス火や炭火等の直火で加熱して、その鉄板、金網等の上で調理しなければいけないという、煩わしさがあった。
【０００３】
【発明が解決しようとする課題】
本発明は、ガス火や炭火等の直火で加熱した石板の上で食品を調理する場合において、肉、魚、野菜等だけでなく、殻付の貝や、海老、蟹等の甲殼類も同じ石板の上で調理できる溶岩石プレートの提供を目的とするものである。
【０００４】
【課題を解決するための手段】
多孔質の溶岩石を加工形成してなる石板に複数の透孔を穿設する。本発明は、以上の構成よりなる溶岩石プレートである。
【０００５】
【発明の実施の形態】
本発明は、このような手段を講じたので、ガス火や炭火の直火で加熱した石板の透孔を設けた部分に、殻付の貝や海老、蟹等の甲殻類を載置して、透孔の無い部分に肉、魚、野菜等を載置すれば、透孔を設けた部分に載置された食品は透孔があることによって、ガス火や炭火等の直火が直接届き、透孔の無い部分より強い火力を受けることになるので、透孔を設けた部分に殻付の貝や海老、蟹等の甲殻類を載置すれば、同じ石板の上で調理することができる。
【０００６】
【実施例】
以下、図面に示す実施例についてさらに詳細に説明する。
【０００７】
この実施例の溶岩石プレートは、多孔質の溶岩石を加工形成してなる石板１に、複数の透孔２を穿設したものである。
【０００８】
この実施例のものは、多孔質の溶岩石を加工形成してなる石板１をガス火５や炭火等の直火で加熱し、その上に食品を載置して調理するもので、透孔２を設けた部分に殻付の貝３や海老、蟹等の甲殻類を載置して、透孔２の無い部分に肉４、魚、野菜等の食品を載置すれば、同じ石板１の上で調理することができ、殻付の貝３や海老、蟹等の甲殻類だけを新たに鉄板、金網等をガス火５や炭火等の直火で加熱してその上に載置して調理する必要がなくなった。
【０００９】
前記の石板１をガス火５や炭火等の直火で加熱して、その上に肉４、魚、野菜等と殻付の貝３や海老、蟹等の甲殼類を、透孔２を設けた部分、透孔２の無い部分に、それぞれ載置すれば同じ石板１の上で調理できるので、殻付の貝３や海老、蟹等の甲殼類を調理する為に、鉄板、金網等を用意する必要もなくなり、経済的であるだけでなく、手間も省けるようになった。
【００１０】
【発明の効果】
本発明は、多孔質の溶岩石を加工形成してなる石板に、複数の透孔を穿設したので、ガス火や炭火等の直火で加熱してその上に食品を載置して調理する場合に、透孔を設けた部分に殻付の貝や海老、蟹等の甲殻類を載置して、透孔の無い部分に肉、魚、野菜等の食品を載置すれば、同じ石板の上で調理することができ、殻付の貝や海老、蟹等の甲殻類だけを調理するために、新たに鉄板、金網等をガス火や炭火等の直火で加熱して、その鉄板、金網等の上で調理する必要がなくなった。
【図面の簡単な説明】
【図１】本発明の斜視図
【図２】一実施例の側面図
【符号の説明】
１石板
２透孔
３貝
４肉
５ガス火
【図１】
2004243073.tif 000003
【図２】
2004243073.tif 000004
(57)【要約】［課題］従来のベビーカーの遊戯具は、主におすわりができるようになってからの物ばかりで、まだ起きあがれない寝たままの乳児の玩具といえば、ガラガラなどを手もとに置いておくぐらいしかできなくなく、乳児は景色を見てる事しか出来なかった。［解決手段］ベビーカーの日ざし避けの幌のように、畳めて、ベビーカーに寝ころんだままでも使用でき、手や足が当たっても痛くないプレイジムを、取り付ける事により、乳児も目の前で揺れている玩具に興味を持ち、脳に良い刺激となり、また、それに触れたいとゆう気持ちがではじめ、手を伸ばし始めるようにもなり、身体の成長にもプラスの作用がある。【選択図】  図２
2004243046.tif 000002
【特許請求の範囲】
【請求項１】
ベビーカーに取り付けられる、乳幼児用遊戯具（プレイジム）。
【発明の詳細な説明】
【０００１】
［発明の属する技術分野］
本発明は、ベビーカーに乗っている乳幼児用遊戯具であり、乳幼児の体の成長にもプラスに作用し得る遊戯具に関する。
【０００２】
［従来の技術］
従来のベビーカーの遊戯具とは、ベビーカーのガード部分に取り付ける物ばかりであり、首が座っていない寝たままの乳児の遊戯具といえば、がらがらを手元に置いてあげたり、日差し避けの幌部分にクリップなどで遊戯具をぶら下げたりしていた。
【０００３】
［発明が解決しようとする課題］
ベビーカーの上で寝たままの乳児にとっては、がらがらなどは重く、掴んで振る事が大変困難で親が代わりに振ってあげたり、手に持たして一緒に振ったりしてなかなか先に進めなかった。又、幌部分にクリップなどで遊戯具をぶら下げるのも、何かの弾みで落ちる心配や、ベビーカーを折り畳む度に取り外したり、いつもおなじ遊戯具に飽きて愚図られ片手でだっこし、もう片方の手でベビーカーを押す事になったりして女性の力では大変な肉体疲労になってしまう。
【０００４】
［課題が解決する手段］
上記の問題点を解決するために、本発明は、ベビーカーに取り付けられている幌と同様に取り付けたまま畳め、尚且つ、部屋でしか使えなかった吊り下げタイプのプレイジム（体操玩具など）のような機能があり、乳幼児が寝転んだままでも飽きずにいれるため快適に外出することができるようになる。
【０００５】
［発明の実旋の形態］
本発明は、ベビーカーに取り付けられるプレイジムである。
【０００６】
また、取り付けたまま畳めるので乗せるたびに取り付ける手間がない。
【０００７】
また、乳幼児の成長や好みにより、吊り下げられている玩具（１）（２）（３）の配置や高さの調節ができる。
【０００８】
また、吊り下げている玩具（１）（２）（３）は、パイル地で出来ていて、吊り下げているスナップボタン付きの紐（４）も洗濯が可能であり毎日清潔に使用できる。
【０００９】
また、普段乳幼児が使用している手に持てるような小さな玩具などとも交換が出来るため飽きずに長く使用する事ができる。
【００１０】
また、本発明は、まだ腕が上がらない乳児でも、吊り下げられている玩具を目で追ったりループ（６）に通さずアーム（５）に通し手元に玩具を置けば、手で転がして遊ぶ事が可能であり、ベビーカーからも落ちない。
【００１１】
また、ループ（６）にスナップボタン付きの紐（４）を通して使用するため左右に揺れてもアーム（５）からずり落ちないで吊るす事ができる。
【００１２】
また、腕は上がるけど玩具に届かない乳児でもスナップボタン付きの紐（４）のボタンの位置を変えるだけで玩具の高さ調節が出来るので成長に合わせて使用する事が可能である。
【００１３】
また、アーム（５）には、ベビーカーに固定する紐と、アーム（５）同士を交差し固定するマジックテープを使用して、プレイジムを固定している。
【００１４】
また、アーム（５）には、安全と軽量化を考慮してプラスチックパイプ（９に発砲ポリウレタン（８）を包みその上に布地（７）を巻き付けたので乳児の手足や頭が触れても痛くないようにしている。
【００１５】
［発明の効果］
本発明は、以上説明したような形態で実施され、以下に記載されるような効果を奏する。
【００１６】
プレイジムを取り付ける事により今までベピーカーの上では、寝ながら空や天井しか見る事が出来なかった乳児が目の前に吊るされている玩具に触りたいと手を伸ばし、揺らしたり、叩いたりして遊び、子供の身体の成長に確実にプラスになる。
【００１７】
プレイジムから吊るされている玩具の配置を変えたり、家にあった玩具と交換する事も可能なので乳児期から幼児期まで比較的長期間使用する事が出来る。また、一つの玩具を長く使用する事により資源の保護に寄与することができ、物を大事にすることを自然に覚えるようになるという、子供の成長にとってプラスの作用もある。
【図面の簡単な説明】
【図１】本発明の、プレイジム全体斜視図である。
【図２】本発明の、プレイジム全体正面図である。
【図３】本発明の、アーム（５）の断面図である。
【符号の説明】
１          吊り下げ玩具（笛が入ってる哺乳瓶）
２          吊り下げ玩具（プラスチック製の鈴いりボール）
３          吊り下げ玩具（ガラガラが入ってる吊り輪）
４          スナップ  ボタン付きの紐
５          アーム
６          ループ
７          布地
８          発砲ポリウレタン
９          プラスチックパイプ
【図１】
2004243046.tif 000003
【図２】
2004243046.tif 000004
【図３】
2004243046.tif 000005
(57)【要約】【課題】ヘアドライヤーは最も吹出口の断面積の広い状態（集風器により変更する場合は集風器がない状態）で作動することを前提に設計されることが多く，集風器を取り付けたりして該断面積を小さくした場合，内部の温度が上昇するため危険であったため，該断面積を小さくするするには限界があり，ユーザのニーズに対応できなかった．【解決手段】この発明は，該断面積を小さくした結果，本体内の温度が上昇してヒーターが赤熱したり，温度過昇防止装置が作動するのを抑えるために，集風器を取り付けるなど該断面積を小さくすることによって，出力を自動的に下げる仕組みを持つヘアドライヤーを提供するものである．【選択図】図１
2004243049.tif 000002
【特許請求の範囲】
【請求項１】
ヘアドライヤーにおいて，吹出口の断面積が変更された場合，その断面積に応じて，出力を変更するヘアドライヤー
【発明の詳細な説明】
【０００１】
【産業上の利用分野】本発明は，頭髪の当該箇所に集中的に熱風を与えたりするために吹出口の断面積を変更する際に，それに連動して出力を変更することにより本体への負荷を軽減し，安定して熱風を供給する道具を提供するものである．
【０００２】
【従来の技術】従来，ヘアドライヤーは集風器等で吹出口の断面積を変更する場合，最も該断面積の広い状態（集風器により変更する場合は集風器がない状態）で作動することを前提に設計されることが多く，その様に設計されたものに，たとえば頭髪にあてる風の狙いを絞りたい時には，集風器を取り付けたりして該断面積を小さくして使用していた．その際，より小さな部分に的を絞りたいというニーズに対応すべく，集風器の該断面積を小さいものを設計すると，ドライヤー本体の風通しが悪くなって本体内が温度上昇し，ヒーターが赤熱したりして危険であり、その際温度過昇防止装置等も働いてしまうので，出力を変えることなく集風器を使うには，該断面積をある程度広くして，風量をあまり損なわないようにすることが必要であった．しかし，該断面積を小さくできないと，ヘアデザインを技術者の思い通りに整えるために，頭髪の特定部位に風をあてようといった作業をするときに，該部位に集中的に風が当たらなかったり，該部位以外にも風が及んでしまったりして，該作業を終えるために使うには，作業しづらい面があるという問題があった．また逆に，集風器を取りつけたことを前提にドライヤー本体を設計すると，集風器を取り外した際に十分な風量や熱量を得られないこともあった
【０００３】
【発明が解決しようとする課題】よって，該断面積に応じてヒーター出力を変更することで，風量減少に伴う内部温度上昇を回避し，安全な温度の温風を集中的に該部位にあてることができるようにする．
【０００４】
【課題を解決するための手段】本発明は，上記課題を実現するために，断面積を変更すること（例；集風器を取り付けること）と出力を変更するスイッチを別々に設けず，断面積を変更することで，連動して出力を変更するようにすることにより，該断面積にあった出力に自動的に調節されるようにする．つまり断面積を変更することが，出力変更のスイッチを兼ねるように設計する．
【０００５】
【作用】上記構成より成る本発明によれば，該断面積が小さくなることにより，風量が抑えられても，ヒーター出力が下がるために内部温度が上昇するのを防ぎ，局地的に熱風をあてることが可能になる．
【０００６】
【実施例】本発明の実施の一例を，図面に基づいて詳細に説明する．この例は，断面積を変える手段として，該断面積の異なる集風器を複数種類用意するものである．図１は，３種類の該断面積の異なる集風器，および本発明の縦断面図の例である．１ａは該断面積が広く，取り付けることにより出力を変える必要のない集風器，１ｂは該断面積がやや狭く，取り付けることにより多少出力を落とす必要がある集風器，１ｃは該断面積がとても狭く，取り付けることにより出力を相当量落とす必要がある集風器の例である．
【０００７】本体２の吹出口に，スイッチ棒が口金３の外側に出るようにマイクロスイッチ４を設ける．マイクロスイッチにはスプリング４ａが内蔵されており，何も動作が加えられていないと，スイッチ棒４ｂは飛び出た状態になっている
【０００８】一方，集風器はその断面積により本体内に深く入り込むように設計する．すると集風器を取り付けることにより，スイッチ棒４ｂが，集風器が入り込む深さに応じて押し込まれ，回路が切り替わるようになる．
【０００９】図１において，何も取り付けない状態および集風器１ａを取り付けた状態では，回路５ａを通り出力を変えないことを，集風器１ｂを取り付けた場合は，回路５ｂを通り出力を多少落とす回路に繋ぐことを，集風器１ｃを取り付けた場合は，回路５ｃを通り出力を相当量落とす回路に繋ぐことを模式的に表現している．
【００１０】
【発明の効果】本発明は上述のようであるから，１ｂや１ｃのごとく該断面積の小さい集風器を取り付けても，取り付けることにより出力を抑えるため，本体内部の温度上昇を抑えることができる．よって該断面積の小さなノズルを使用することができ，的を絞って熱風を髪にあてることが可能になる．よって，髪型をセットするためにドライヤーの熱風を局部的に利用することが可能になる．
【００１１】ここで述べたのは，本発明の請求項の実施例であり，この方式に限ることを意味するものではない．
【図面の簡単な説明】
【図１】本発明の実施の一例を示す吹出口付近の縦断面図および該断面積の違う３種類の集風器である．
【図２】本発明を実現する回路図である．
【符号の説明】
１ａ  標準集風器，１ｂ  集風器（小），１ｃ  集風器（極小），２  本体，３口金，４  マイクロスイッチ，４ａ  マイクロスイッチ内スプリング，４ｂ  スイッチ棒，５  回路からの配線（模式図），５ａ  標準回路への配線（模式図）  ５ｂ  集風器（小）用回路への配線（模式図），５ｃ  集風器（極小）用への配線（模式図）．
ＡＣＶ：電源，Ｃ：コンデンサ０．１μＦ（１０４），Ｄ１：ダイオードＢＹ３９８／ＢＹ３９９，Ｄ２：ダイオード  Ｎ４００４，Ｅ：アース，Ｆ：ヒューズ，Ｍ：ＤＣモーター，ＭＳ（１，２，３）：マイクロスイッチ，Ｒ（１，２，３，４）：抵抗，ＳＷ：スイッチ，Ｔ：温度ヒューズ
【図１】
2004243049.tif 000003
【図２】
2004243049.tif 000004
(57)【要約】【課題】クリーニング後のワイシャツなどに使用するハンガーとして、重ねてもかさばらず、持ち運びも容易で、パイプハンガーに吊り下げても簡単に落下することが無く、吊り下げ部分の強度も強く、ハンガー本体を広告スペースとして印刷する事もでき、リサイクルが容易で環境にもやさしい簡易ハンガーを提供する。【解決手段】一枚の紙を切り抜き加工した上部には吊り下げ部Ａ（１）を有し、且つ中央部には折り曲げ部（５）を伴った吊り下げ部Ｂ（２）を設け、該吊り下げ部Ｂ（２）を上部に折り曲げ、吊り下げ部Ａ（１）と重なり合わせ、柄部分ａ（３）と柄部分ｂ（４）を前後に交差させ、組み替える事により、リング形状（６）が形成される事を特徴とした簡易ハンガー。【選択図】    図３
2004243050.tif 000002
【特許請求の範囲】
【請求項１】
一枚の紙を抜き加工された上部には吊り下げ部Ａ（１）を有し、  中央部には折り曲げ部（５）を伴い抜き加工された吊り下げ部Ｂ（２）を設け、該吊り下げ部Ｂ（２）を折り返し、吊り下げ部Ａ（１）と重なり合う吊り下げ部Ａ（１）の柄部分ａ（３）と吊り下げ部Ｂ（２）の柄部分ｂ（４）を前後に交差させて組み替える事により、リング形状が形成される事を特徴とした簡易ハンガー。
【発明の詳細な説明】
【０００１】
【発明の属する技術分野】
この発明は、クリーニング後のワイシャツなどを吊り下げたり、内部に包み込み、折り畳んだりするための紙製の簡易ハンガーに関するものである。
【０００２】
【従来の技術】
これまでクリーニング後のワイシャツなどに用いられるハンガーとしてビニール被服を施した針金で加工された簡易ハンガーや、樹脂を成形加工した簡易ハンガーなどがあった。
【０００３】
【発明が解決しようとする課題】
これらには次のような欠点があった。針金加工のものはビニールの被服が破れ保護するべき衣服を傷つけたり、樹脂加工したものは針金加工と同じく環境の点で問題があった。本発明はこれらの欠点を除くためになされたものである。
【０００４】
【課題を解決するための手段】
一枚の紙を抜き加工した上部には吊り下げ部Ａ（１）を有し、且つ中央部には折り曲げ部（５）を伴った抜き加工された吊り下げ部Ｂ（２）が同時に設けられている。該吊り下げ部Ｂ（２）を上部に折り返し吊り下げ部Ａ（１）と重なり合わせ、吊り下げ部Ａ（１）の柄部分ａ（３）と吊り下げ部Ｂ（２）の柄部分ｂ（４）をお互い前後に交差させ、組み替える。すると該柄部分ａ（３）と柄部分ｂ（４）が絡み合い、リング形状（６）が形成され、固定される。本発明は以上のような構成よりなる簡易ハンガーである。
【０００５】
【発明の実施の形態】
以下、本発明の実施の形態について図を追って説明する。
（イ）図１に示すように一枚の紙を切り抜き加工された上部に吊り下げ部Ａ（１）を設ける。
（ロ）当該紙の中央部には折り曲げ部（５）を有し、切り抜き加工された吊り下げ部Ａ（１）と同形状の、しかし左右反転された吊り下げ部Ｂ（２）を設ける。
（ハ）そして図２に示すように、吊り下げ部Ｂ（２）を折り曲げ部（５）で上部に折り曲げ、吊り下げ部Ａ（１）と重ね合わせる。
（ニ）次に図３に示すように、重ね合わせた吊り下げ部Ａ（１）の柄部分ａ（３）と吊り下げ部Ｂ（２）の柄部分ｂ（４）をお互い前後に交差させ、組み替える。すると該柄部分ａ（３）と柄部分ｂ（４）が絡み合い、リング形状（６）が形成され、固定される。
（ホ）さらに最下部の折り曲げ部（７）を上部に折り曲げ、ひずみを防止する。これで本発明は完成する。
本発明は以上のような構造で、ハンガーパイプ（８）に吊り下げる時は、図４に示すように絡み合わせた柄部分ａ（３）と、もう一つの柄部分ｂ（４）を少し広げ、ハンガーパイプ（８）に下から挟み込み、図５に示すように９０°回転させ、図６に示すように吊り下げられる。また、従来の簡易ハンガーと同じ様に本発明を衣服の内部に包み込み折り畳んでも良く、吊り下げたまま持ち運ぶ事もできる。さらにハンガー本体を広告スペースとして印刷する事もできる。
【０００６】
【発明の効果】
吊り下げ部Ａ（１）と吊り下げ部Ｂ（２）を重ね合わせ、二重にして荷重に対する強度を強くすると同時に、吊り下げ部の柄部分ａ（３）と柄部分ｂ（４）をお互い前後に交差させ組み替える事により、リング形状（６）が形成され、ハンガーパイプ（８）に吊り下げた時、簡単に落下する事がない。そして、一枚の紙を折り返し、交差させるだけでのり付けなどもないので、アトピーなどの皮膚炎の心配も無く、紙製なのでリサイクルが容易で、ハンガー本体を広告スペースとして印刷する事もでき、環境にもやさしい。
【図面の簡単な説明】
【図１】本発明の組み立て前の展開図である。
【図２】本発明の中央の吊り下げ部を折り返した時の斜視図である。
【図３】本発明のお互いの柄の部分を組み替えた完成斜視図である。
【図４】本発明のパイプハンガーに取付前の斜視図である。
【図５】本発明のパイプハンガーに取付時の説明用の斜視図である。
【図６】本発明のパイプハンガーに取付後の斜視図である。
【符号の説明】
１  吊り下げ部Ａ
２  吊り下げ部Ｂ
３  柄部分ａ
４  柄部分ｂ
５  折り曲げ部
６  リング形状
７  最下部の折り曲げ部
８  ハンガーパイプ
【図１】
2004243050.tif 000003
【図２】
2004243050.tif 000004
【図３】
2004243050.tif 000005
【図４】
2004243050.tif 000006
【図５】
2004243050.tif 000007
【図６】
2004243050.tif 000008
(57)【要約】【課題】折り畳み及び展開の操作が容易でケース内に簡単に収納することにより、持ち運び及び置き場所に便利な携帯用車椅子を提供する。【解決手段】椅子の座部を引き上げることにより車輪付き収納ケースに収まった左右２つの支持フレームが折り畳まれ左右両ケースを連結することにより椅子を収納した１つの車輪付きケースとなる。【選択図】  図１
2004243089.tif 000002
【特許請求の範囲】
【請求項１】
ケースを利用し、椅子を収納して携帯用にしたケース収納型携帯用車椅子。
【請求項２】
両側にケースを設けたことにより、収納容器としても利用できるようにしたケース収納型携帯用車椅子。
【請求項３】
ソーラーパネルを設けて電源を得るなど両側のケース表面を利用できるようにしたしたケース収納型携帯用車椅子。
【発明の詳細な説明】
【０００１】
【発明の属する技術分野】
本発明は、ケースの中に収納して携帯できる車椅子に関するものである。
【０００２】
【従来の技術】
車椅子は、折り畳むことができても大きかったり、また、突起物があったりした。
【０００３】
【発明が解決しようとする課題】
そのため車椅子を、持ち運んだりすることが不便だったり、置き場所をとるという問題点がある。
【０００４】
【問題を解決するための手段】
本発明は、椅子を車輪付きケースの中に収納することにより上記課題を解決したものである。
【０００５】
【実施例】
本発明のケース収納型携帯用車椅子は、図１に示されるように、両ケース２，３の前後にそれぞれ連結装置１０があり、解除することにより両ケースを開くことができる。
【０００６】
椅子の座部１を押し下げることにより、両ケース２，３は左右に自動的に開く、さらに、後ろから押したり引いたりして車椅子を移動させることのできる棒４を支持パイプ９に装着することにより、車椅子が容易に完成する。
【０００７】
棒４を支持パイプ９から取り外し、次に座部１を押し上げることにより、両ケース２，３は自動的に締まり、さらに、連結装置１０をセットすることにより簡単に移動可能な車輪付きケースとなる。
【０００８】
【発明の効果】
以上のように、請求項１の発明によれば、持ち運びが便利で置き場所もとらなくなる。従って自動車で移動する場合にトランクに収納して携帯したり、来場者の多い施設，会場等での入り口付近でも場所をとらず急な使用にも迅速に対応が可能である。請求項２の発明によれば、ケースの大きさを変えることにより車椅子そのものに自由な収納スペースを設けることができ、施錠すれば安全な保管場所ともなる。請求項３の発明によれば、ソーラー発電ができるフィルムをケースに貼れば携帯電話や電動車椅子の補助電源としても利用できるなど、ケース表面の多様な利用が可能となる。
【図面の簡単な説明】
【図１】本発明に係わるケース収納型携帯用車椅子の構成を示す外観図である。
【符号の説明】
１・・・座部
２・・・ケース１
３・・・ケース２
４・・・後方より押したり引いたりして車椅子を移動させるための棒
５・・・ブレーキ付き車輪
６・・・回転自由な車輪
７・・・フレーム
８・・・背もたれ部
９・・・４の棒をはめ込み支持するパイプ
１０・・・ケース１、２を連結する装置
１１・・・座部を支えるフレーム
【図１】
2004243089.tif 000003
(57)【要約】【課題】靴修理補修従来技術によれば、靴底が剥がれた場合の処置として接着剤で張り合わせる、または縫い合わせるというのが一般的で、再剥離したり、専門補修技術を必要とした。そこで、この発明は、容易に修理補修を提供することを課題とする。【解決手段】反発性材質のピン状のものに接着剤を塗布し、靴の底面または内面から貫通させ剥離防止することを特徴とする発明である。【選択図】図１
2004243082.tif 000002
【特許請求の範囲】
【請求項１】
靴底修理補修を容易にし、再剥離を防止する。
【発明の詳細な説明】
【０００１】
【発明の属する技術分野】
この発明は、靴底修理補修に関する。
【０００２】
【従来の技術】
従来は、靴底が剥がれた場合の処置として接着剤で張り合わせる、または縫い合わせるというのが一般的である。
【０００３】
【発明が解決しようとする課題】
しかしながら、以上の従来技術によれば、再剥離が起こりやすく、靴装着感や機能が悪化したり、専門縫製技術が必要とされた。本発明は容易に修理補修を提供することを課題とする。
【０００４】
【課題を解決するための手段】
以上の課題を解決するために、請求項１の発明は、反発性材質のピン状のものに接着剤を塗布し、靴の底面または内面から貫通させ剥離防止することを可能とした。
内面および底面に、はみ出た材質は切り取ることで利用者に不快感を与えることが少なく、材質は反発性のものを用いることで、密着性を増し作業を容易にする。
【０００５】
【発明の実施の形態】
この発明の一実施形態を、図１に示す。貫通部品は反発材質であり、この貫通部品には脱落防止のために溝が設けられている。
【０００６】
「実施形態の効果」
この実施形態によれば、再剥離を防止および専門縫製技術を必要としないで修理補修出来る。
【０００７】
「他の実施形態」
図１の実施形態では、貫通部品は脱落防止溝付きであったが、他の実施形態では、溝は無くても良く、またどのような形状のものを設けたものでも良い。
【０００８】
図１の実施形態では、貫通部品は単一素材であったが、他の実施形態では、樹脂・金属・反発素材を単一または組み合わせたものでも良い。また樹脂・金属素材のもので有っても、靴底材質の反発・摩擦力や貫通部品に捻子またはブッシュを設けることでも固定でき、材質または固定方法や形状により、接着剤を塗布しなくても、また貫通させなくても良い。
【０００９】
図１の実施形態では、貫通部品突出部分があり、この突出部分は、適宜の長さで切断または溶着することで、滑り止めの機能や歩行感の向上機能を提供する。図２で示すように、貫通部品を他の部品と組み合わせることで、他機能を有した靴とすることも出来る。この部品形状は、あらゆる形状や材質のものでも利用出来る。
【００１０】
図３でしめすように、貫通部品を靴底面または靴底と一体化・部品化することで、靴製造作業を簡易とすることが出来る。
【発明の効果】
以上説明したように、この発明によれば、再剥離が起こりにくく、靴装着感や機能が悪化したりすることなく、専門縫製技術が必要なく、容易に修理補修を提供することが出来る。
【図面の簡単な説明】
【図１】この発明の一実施形態を示す斜視図である。
【図２】この発明の一実施形態を示す斜視図である。
【図３】この発明の一実施形態を示す斜視図である。
【符号の説明】
１  貫通部品                    ２  他の部品
【図１】
2004243082.tif 000003
【図２】
2004243082.tif 000004
【図３】
2004243082.tif 000005
(57)【要約】【課題】患者の寝返りや移動の際、患者の体重を看護人の手の平の面績で操作する事は患者への圧力負担が大きく問題であった。又この問題は看護人への労力的にも精神的にも大きな負担であった。又、この様な介護の為の装置等は高価であったため低コストで安全なものが求められる。【解決手段】解決手段として、ベットや布団のシーツの上に本発明のパイル地のタオルシーツで長方向の両サイドに看護人が手や指を掛けるための切れ目を数個所設けた。この切れ目を看護人が持ち上げたり引く事で看護人の手の表面積でなく患者の体の表面積で患者の体重を操作する事が出来、患者への圧力負担を軽減できた。又、素材がパイル地のタオルである為に素材に若干の伸びや弾力がある為シーツと違い擦れも少なく体に対し優しく対処する事を可能にした。【選択図】  図１
2004243087.tif 000002
【特許請求の範囲】
【請求項１】
本発明は、タオルシーツの両サイドに数箇所看護人が持つ為の切れ目を設けたタオルシーツである。
【発明の詳細な説明】
【０００１】
本発明は、病院や自宅等で介護を必要とする寝たきり老人や患者の介護や寝返りを行う際に発生する患者や看護人への負担を軽減させるべく考案した介護用タオルシーツである。尚ベットや布団のサイズは様々異なるので本発明のタオルシーツのサイズも切れ目の数も様々異なる為一定では無い。
【発明の属する技術分野】
【０００２】
Ａ４７Ｇ  ９／０２
【従来の技術】
【０００３】
従来、寝たきり老人等の患者の介護に措いて、患者や看護人に対し簡単かつ体への負担を軽減することが出来、大げさな措置装置も高コストもかからなく低コストで簡単に洗濯できる介護用タオルシーツが存在しなかった。
【発明が解決しようとする課題】
【０００４】
患者の寝返りの際、患者の体を逆方向に寝返りさせた時に寝床に対し９０度の角度では患者の体は疲れてしまう。この為お尻を突き出すように少し引いてやる事が大切である。この様な作業を患者に対し行うとなると、看護人の手で行わなければならずどうしても人間の手の表面積で患者の体重を操作しなければ為らなかった。この為人間の手の平より多くの表面積で患者の体に負担をかけず優しく尚且つ看護人の負担を軽減できる介護タオルシーツが求められる。
【課題を解決するための手段】
【０００５】
問題を解決する手段として、ベットや布団のシーツの上に本発明のパイル地のタオルシーツで長方向の両サイドに看護人が手や指をかける為の切れ目を数箇所もうけた。この切れ目を看護人が持ち上げたり引く事で看護人の手の表面積で無く患者の体の表面積で患者の体重を操作する事が出来、患者への圧力負担を軽減できた。また、素材がパイル地のタオルであるために素材に若干の伸びや弾力があるためシーツと違い擦れも少なく体に対し優しく対処する事を可能にした。
【実施例】
【０００６】
病院のベットのマットサイズはそのほとんどが長さ１９０センチ巾８０センチであり患者の肩やお尻の位置の両サイドに看護人が手を掛ける切れ目を縦方向に数個所設けその切れ目に手を掛け持ち上げたり引く事で、患者の寝返りをする際、看護人の手の表面積ではなく患者の体の表面積で患者の体重を操作する事を可能にした。又、頭や足の位置の両サイドにもこの切れ目を設けることでベットや布団の交換の際にも患者、看護人双方の負担を少なく簡単に行えた。尚ベットや布団のサイズは様々異なる為、本発明のタオルシーツのサイズも切れ目の数も一定では無い。
【発明の効果】
【０００７】
患者が看護人に寝返りをされる際、患者の体重を看護人の手の表面積で操作される事は患者本人には大きな負担であったが、この発明の効果で患者の体重を患者本人の体の表面積を利用し圧力を分散する事で持ち上げたり移動する際の体への負担を大きく軽減することに成功した。又、この効果は看護人に対しても労力的にも精神的にも大きく軽減することに成功した。
【図面の簡単な説明】
【図１】本発明のタオルシーツの平面図である。
【図２】本発明のタオルシーツの切れ目の部分の拡大平面図である。
【符号の説明】
【符号１】本発明のタオルシーツである。
【符号２】本発明の切れ目である。
尚、本発明のタオルシーツのサイズや切れ目の数はベットや布団のサイズが様々あるのに比例し異なる為ここでは省略する。
【図１】
2004243087.tif 000003
【図２】
2004243087.tif 000004